(57)【要約】      （修正有）【課題】シャワーを使用する場合、噴出口を防ぎ、洗剤をシャワーヘッドブラシの中に挿入し、混合させ、水噴出時にシャワーヘッドを手で握ることにより間接的に、効果的に洗浄水を噴出させるシャワーヘッドを提供する。【解決手段】手で握ることにより、元の形態に自然に戻る弾力性の有るゴム質材料にて構成されるシャワーヘッド下部１ａ形態を用い、石鹸液挿入穴９ａ、９ｂを合わせ、シャワーヘッド上部１ｂの噴出口１１等を閉じて、石鹸液挿入穴９等よりチューブにて石鹸液水を洗剤としてシャワーヘッド上部１ｂの中に挿入し、挿入後、ブラシ基盤６を手でまわし、石鹸液挿入穴９を閉じることによりブラシ基盤６のシャワーヘッドの噴出口１１等を開き、シャワーヘッド１ａの反発力のある柔らかいゴム質腹部を外部より手にて握り、放すことにより、すぐに湯水の噴流が開閉開閉できるようにする。【選択図】  図１
2005007133.tif 000002
【特許請求の範囲】
【請求項１】
外管が元の形態に自然に戻る弾力性の有る材料にて、また、軟質硬質度のゴム質とか、半硬度のゴム質とか、合成ゴムてか、またはポリエチレン系樹脂質等のゴム弾性のあるゴム質材料にて柔らかく構成され、手にて構成された外管に握り動作を行うことにより、湯水が握り動作と握りの圧力によって、握ることにより噴流、噴射ができ、握りを開放することにより停止ができるように構成し、そのゴム材料にて構成されたシャワーヘッドの握り外管の内部には、軽い円筒型の補強芯パイプを嵌入し、シャワーヘッドを外部より手にて強く握り締めても、湾曲もなく、折り曲げることもなく、適時に背中も負い形態にて清浄できるように、内部を円筒補強芯パイプの長い形態構造にて構成し、外部は柔らかく握り易いゴム質材料にて構成し、シャワーヘッドの噴出口には洗浄液を選択噴射できる機能をもったシャワーノズルをつけ、いちいち元栓まで手を延ばさなくても、片手にてシャワーヘッドを握る、放すことにより、すぐに湯水の噴流が開閉できるように、外部からシャワーヘッドを握ることにより噴射動作を自分の意思に合わせ選択制御できる構造にて構成したことを特徴とする洗浄に適用するシャワーヘッド。
【請求項２】
シャワーヘッドの上部は材質の硬い材料部分に構成され、下部は材質の柔らかい部分の二つの部分にて組み合され構築され、噴出口部分は硬く、シャワーヘッドを外部より握り締める部分は柔らかい材質の部分にて構成されたことを特徴とする請求項１記載の洗浄に適用するシャワーヘッド。
【請求項３】
雄ねじ雌ねじにて頭部に構成されるシャワーヘッド頭部の噴射口とブラシ基部の噴射口が合致しない時に、雄ねじ雌ねじにて頭部サイドに構成される石鹸液挿入穴を一致させ、噴射口が一致合致する場合には、石鹸挿入穴が必ず封鎖される機能を構成したことを特徴とする請求項１、２記載の洗浄に適用するシャワーヘッド。
【請求項４】
シャワーヘッド頭部に組合せ構成させるブラシ基部の頭に選択使用するブラシ状の、洗浄に適用する部品材を使用者の好みに合わせて選択させ、螺旋ねじにて誰にでも簡単に頭部のブラシ基部を取替え使用することのできる機能を保持したことを特徴とする請求項１、２、３記載の洗浄に適用するシャワーヘッド。
【請求項５】
シャワーヘッドの頭部に組込み装着できる花とか、ペットの顔等ヘッド装着意匠を好みに合わせ選択し嵌めこみ、シャワーにも、ホース等にも絵を描いたりしてシャワー全体または一部をデザイン的に構成し、商品効果を向上させたことを特徴とする請求項１、２、３、４記載の洗浄に適用するシャワーヘッド。
【発明の詳細な説明】
【０００１】
【発明に属する技術分野】
本発明は、入浴時または身体に、特に背中を、湯又は水をかけて洗浄するときに握って使用する浴室用シャワーヘッドとそのシャワーヘッドの頭部につける付属品により使用目的に合わせて選択構成させたことを特徴とする洗浄に適用するシャワーヘッドに関するものである。
【０００２】
【従来の技術】
一般に使用されている浴室用シャワーは湯水、即ち選ばれた温水にて、又は冷水にて噴出し洗い流すだけである。石鹸、シャンプー、リンス等は別の洗浄用品で洗うのが一般的である。
【０００３】
すでに出願されているシャワーセット用ブラシの水栓用部品の構造として、シャワーヘッドを雄ネジとし、これに水栓用部品の螺旋構造を有する雌ネジにて構成された水栓用部品をかぶせ、組み合わされ構成した螺合構造をもった先願が提示されている。（例えば、特許文献１参照。）。
【０００４】
また、浴室用ブラシ付シャワーヘッドの頭部分に噴出可能なシャワーノズルを設け、その頭部分に着脱可能な任意形状のブラシを嵌着したブラシ付シャワーヘッド出願もある（例えば、特許文献２参照。）。
【０００５】
また、シャワーヘッドに容易に放出、停止および無断回の流量調節ができる流体開閉ユニット装置をシャワーホースのアダプタージョイントとシャワーノズルヘッドの間に設けた取付構造とした出願とか、ピストル形状のハンドル側のグリップハンドルを握り操作して、流路に設けられたバルブを開閉動作させることにより、バルブチューブが嵌入する円筒状の給水口を介して噴射口に供給するシャワーヘッド構造とした出願もある。（例えば、特許文献３参照。）。
【０００６】
【特許文献１】
実用新案公開平０２−１１１３９１（第１図、第２図）
特許出願公開２００１−２２０７８５（第１図）
【特許文献２】
特許出願公開２０００−３４２４７８（第１図、第２図）
【特許文献３】
特許出願公開平０６−２７７５６５（第４図、第１２図）
登録実用新案第３０６６９３２号（第１図）
【０００７】
【発明が解決しようとする課題】
しかし、第１の課題として、従来の構造の浴室用シャワーは、冷水または温水を調合させる元栓は、台所とか、浴室でも水道栓が装着されている場所近辺に冷水道栓と熱水道栓と配置され、その場所にてバルブにて冷水・温水を混合し、混流温度を選定して長いホースに流し、離れたシャワーヘッドに移動させ噴出させる形式が一般的である。
【０００８】
また、ホースとシャワーヘッドとの間、シャワーノズルの言わば装着手元で吐水および止水の操作を行うことができる止水コック発明（特開２０００−３５４５５５）はすでに出願公開され、シャワー用の一時止水コックをシャワーの外に簡単な構造にて提供されている。これに類似した足踏み式水道栓装置（実開平０７−１０６６５）も出願公開され提供され一般に公知されている。
【０００９】
しかし、連結すると構造が重く、あまり使用されてない。例え装着し使用されても今日使用されているシャワーヘッドは、ヘッドを支えている手とは別な手をいちいち使用し、ボタンを押し、何回でも湯を止めたり、出したりせねばならず、遠い元栓まで手の移動が邪魔くさいので、そのまま湯又は水を流出したままで使用する人が多く、使用費用が大きな負担を与えている。
【００１０】
次に第２課題として、シャワーヘッドの頭部につけるシャワーブラシは使用用途に合わせてブラシの材質、ブラシ密度、また、用途に応じた素材にて形成されたブラシ状またはスポンジ状のものを選択し、構成され、これらが用途に合わせ着脱可能な形態にて形成されたシャワーブラシの発明は浴室用ブラシ付きシャワーヘッド（特許文献２、特許出願公開２０００−３４２４７８）にも提案されている。
【００１１】
しかし、これらは洗剤を用いて使用する際は、このブラシに洗剤を選択し、付着させて使用するのが一般的であり、身体や頭部を洗浄する為には、いちいち洗剤をシャワーとは別に洗浄先に外部から添付したりして、それぞれ使用用途に応じた対応を選択しなければならない不便さがあった。
【００１２】
本発明は、このような従来の構成が有していた問題を解決しようとするものであり、方法また使用に際し、シャワーヘッド本体のシャワー噴出口に使用する付属品形態に、即ち、身体を洗う為によく使用する歯ブラシ状の、ヘチマ状の、櫛状の、天然植物、化学製品にて構成される使用好みに合わせたシャワーセット用ブラシを選び、螺旋ねじにて誰でも簡単に取替えることができ、使用時に合わせてヘッドに選択装着され、サイドから挿入穴９ａ、９ｂからインプットされた液を、また別に、手にて上からブラシ表面に液を付着させる方法にて、その時にだけ放水を選択排出する方法を具備した握りシャワーヘッドの提供を目的とするものである。
【００１３】
また本発明は、ゴム質材料を用い、また、現在市販されている歯磨きチューブと同じく弾力性がある弾性材料を用い、何回も反復して握り締め動作を行うシャワーヘッドを構成させることにより、挿入された洗浄液を排出させる効果的な弾力性作動をシャワーヘッドに本体に与えることにより、本発明は、握る力の弱い高齢者や身障者でもシャワーヘッドを軽く反復して手にて握り排出させることができ、誰にも簡単に使用者の噴出希望時に噴出ができ、同時に同じ握り手にて放出方向に向け、洗いに使用できる効果的な機能をもった、今までに無いシャワーヘッドを提供することを目的としたものである。
【００１４】
【課題を解決するための手段】
第１の課題解決手段は、上記目的を達成するために、シャワーヘッド本体をシャワーヘッド上部１ｂは硬度の柔らかくない一般の硬さのゴム質材を用いて形成し、シャワーヘッド下部１ａ、１ｂは弾力性のある柔らかさを保持した反復力に満ちたゴム質材にて一体に形成させる。
【００１５】
また、ゴム質材には天然のゴムとか高分子化合物の合成ゴムとか色々な種類があり、例えば、一例として、今日では殆どのメーカの歯磨きチューブには、材料はアルミ箔をポリエチレン系樹脂層にてサンドした弾力性の有る材料にて構成され、中の練り歯磨きが空となっても、チューブに元の形態に自然に戻る性質を持ったチューブ形態もあり、これら戻る性質のある種々の弾力性のある種々の材料を選択し、洗浄に適用するシャワーヘッドを形成させることも可能である。
【００１６】
そこで本発明の、軟質硬質度のゴム質とか、半硬度のゴム質とか、合成ゴムとか、またはポリエチレン系樹脂質等のゴム弾性のあるゴム質材料、ゴム材質等にて構成された反復力の満ちたシャワーヘッド本体の中に、グリップハンドルを本体の中に設置し、外から操作させ、流路に設けられたバルブを開閉動させる方式は、今までに無く、全く新しい発明の開示となる。特許文献３の特許出願公開平０６−２７７５６５の先願でも、流水をバルブ開閉弁座１６９位置より横に位置するバルブチューブ１５１内に流し込み、グリップハンドルはバルブチューブ１５１外に装着し流路外部の露出した部分に流れることを方式としており、本発明と作用構造も大きく異なる。
【００１７】
本発明ではグリップハンドルを流路外には設けず、バルブ開閉位置とグリップハンドル、即ち、本発明のストッパー先端部２０ａはゴム材質等にて管筒形式にて柔らかく弾力的に構成されたシャワーヘッド１ａの下の部内において、インプット構成された鉄パイプとかビニールパイプとかパイプ形式の補強芯パイプ２の管内にて構築され、手にて弾力性のあるシャワーヘッド１ａを握った場合には、シャワーヘッド１ａ′が握り絞られて１ａの状態となり、ストッパー先端部２０ａ′が補強芯パイプ２内に押し込まれ、プッシュロッド２１がストッパー１９の爪のプッシュによって押し込まれて、その先の開閉弁２４が開かれ、圧縮水が接続管２８より取得することができる形態に構築される。
【００１８】
勿論、手の握り、即ち、管筒１ａを緩めた場合は、ゴム材質にて構成された反復力の満ちたシャワーヘッド本体１ａ、１ａ′の開き作用とスプリング２９の作用により、ストッパー先端部２０ａ′状態に開かれ、スプリング２６、２９の反発動により開閉弁２４は弁受け２５に圧着され、閉じて、圧縮水の流動をストップさせる。
【００１９】
特許文献３の特許出願公開平０６−２７７５６５の先願では、本発明の図１に示されるスプリング２６に近い抜け穴１５から噴流した流れは、先願では図４に示される弁座１６９の上に位置する上面１９５より横のバルブチューブ１５１内に導かれるが、本発明では噴流した流れはシャワーヘッド下部１ａ、１ａ′内面全体に、ストッパー１９、２０ａの周りにも流動させる動作を行わしめるため、今までの先願に無い構成となっている。
【００２０】
第２の課題解決手段は、最初噴出口１１ａ、１１ｂ、１１ｃを全閉鎖させ、石鹸液挿入穴９ａ、９ｂを一致させて石鹸液等を選択しその挿入穴にてシャワーヘッド上部１ｂに注入させ、次に石鹸液挿入穴９ａ、９ｂを閉鎖し、注入液に振りを与えて、シャワーヘッド下部１ａ、１ａ′を握り締めて開閉弁２４を開くことにより、混合された液水をシャワーヘッド内に構成できる。
シャワーヘッドの使用により、噴出口１１ａ、１１ｂ、１１ｃを全閉鎖させ、石鹸液等も混入させて、この穴も閉じて噴出水と十分に混合させて噴出させる場合もあり、石鹸液挿入穴９ａ、９ｂを一致させて挿入穴を一致させることができる個所は、誰でも片手の指にて確実に挿入穴から流失が防げるように、一ヶ所又は多くて２箇所程度が望ましい。石鹸液挿入穴９ａ、９ｂを閉じる機能として、穴９ａの上に手にてスライドさせて流出を防ぐ装置を別に構成してもよい。
【００２１】
次に、作成された混合液水をブラシ基部６より噴出させるため、石鹸液挿入後石鹸液挿入口９ａを閉じ、螺台構造のブラシ基部６を廻して噴出口１１ａ、１１ｂ、１１ｃを貫通開放し、シャワーヘッド１ａ、１ａ′の支持してる腹部分５ａ、５ｂ部分を手にて反復握り作動をすることにより、即ち、図５行程図に示すように反復作用して開閉弁２４の開閉動作を行うことにより選択注入された混合液を誰でも効果的に噴出させることが出来る今までにない作用機能を構成させた。
【００２２】
また、本発明はシャワーヘッドの頭部のブラシ基部６に選択使用するブラシ状の、ヘチマ状の、櫛状等の好みに合わせたシャワーブラシ１２ａ、１２ｂを選択し、シャワーヘッド１ｂ本体の頭部の円側外面の雄ねじ７ａと、その上に覆い被せるシャワーセット用ブラシ基盤６の内面雌ねじ７ｂとを互いに螺合させ、誰でも簡単に使用者が用途にあわせ、シャワーブラシ１２頭部を選んで交換し、作用させるシャワーヘッド選択機能構造としたものであり、これに噴出液をインプットし排出させる最適のブラシ構造を構築させる作用機能をもたしたものである。
【００２３】
【発明の実施の形態】
以下、本発明の実施の形態を図１〜図５に基づいて説明する。
【００２４】
図１において、シャワーヘッド１ａは握れば縮まり、放せば元の形態に復帰できる弾性力を持った材料にてシャワーヘッドは構成され、半硬度のゴム質とか、天然のゴムのような高弾性と強靭さを持つ合成構分子化合物である合成ゴムとか、アルミ箔をポリエチレン系樹脂層にてサンドした弾力性の有る材料にて構成された材料等を用い、シャワーヘッド１ｂ部の雄ねじ７ａ、ブラシ基部６の雌ねじ７ｂにて一体に構成された洗浄に適用するシャワーヘッド頭部を設け、シャワーヘッド１ａの下端の連結継ぎ手２７にて接続管２８をシャワーヘッド１ａ下部にねじ込み連結できるように、今までの一般のシャワーヘッドに無い、背中洗浄にも使用できるとても長いシャワーヘッド形態に構成させている。
尚、ホース連結維持装置はこれに限らず種々の方法が選択できることは可能である。
【００２５】
上部のシャワーヘッド１ｂは下部シャワーヘッド１ａよりは硬い性質の弾力性の樹脂層にて構成されれば最適である。しかし、上部構成が下部構成と同じ弾力性のある柔らかい性質の樹脂層でも差し支えない。
【００２６】
また、シャヘワーヘッド１ｂの内部には、水を排出させる穴１５を持った軽い円筒型の補強芯パイプ２を設け、シャワーヘッド１ｂ内に押し込み、下部をホースの取付け口４に嵌入し、上部を支持棚１７にて一体に組合せ固定形成させ構成されている。
【００２７】
しかし、噴出口が本発明の構成では無く、即ち、雄ねじ７ｂ、雌ねじ７ｂによるブラシ基盤６が設定されてなく、シャワーヘッド１ｂの噴射口１１ａは無く、１１ｂだけで円筒型にて突き抜け構成させる場合でも、本パイプ構成である限り、本発明のシャヘワーヘッド１ａの内部に、軽い円筒型の補強芯パイプ２を設ける主旨機能構成は全く同じである。
【００２８】
補強芯パイプ２底部分は導入口３ａが形成され、弁受け２５が形成され、これにロッド軸受け２２の先端部には、即ち、プッシュロッド２１の先端部には開閉弁２４が弁形式に組み込まれ、その他端部にはのプッシュロッド２１がロッド軸受け２２にスライド形式にて挿入され、含油材質にて構成されたロッド軸受け２２は補強芯パイプ２の円筒内に嵌め込み維持構成される。
【００２９】
補強芯パイプ２内管の弁受け２５部分にはスプリング２６が設けられ、絶えず開閉弁２４がスプリング２６の反発力により、弁受け２５に密着、維持されるように構成されている。
また、ロッド軸受け２２には噴流孔２３が数本空けられ形成される。
【００３０】
ロッド軸受け２２の補強芯パイプ２内管の外側壁にはリンク軸受け３１がセットされ、リンク軸１８にてストッパー１９が維持保持され、ストッパー１９の支点をつかさどる。
セットされたストッパー先端部２０ａが゛正確に開動するように、ストッパー動作隙間３２がガイド形式に補強芯パイプ２に設けられ、ストッパー先端部２０ａの開閉動作をブレ無く動作できるように構成されている。
【００３１】
また、ストッパー先端部２０ａが握った手により確実に握り動作が実行できるように、補強芯パイプ２の一部側面に抉り面３３が設定され、指が補強芯パイプ２の内面終点まで押し付けることにより、開閉弁２４の開きを確実に設定できる効果がある。
また、スプリング２９の動作によりストッパー先端部２０ａが傾倒して、シャワーヘッド下部１ａ′に開き傾倒しても、弾力性を持ったシャワーヘッド１ａ′の開き限界位置にて、即ち、図１の２０ａ′位置に確実に維持され、開閉弁２４は弁受け２５にスプリング２６の開き力により圧着され弁受け２５に確実に密着維持される。
【００３２】
図１、並びに、図４にはシャワーヘッド１上部の硬い部分１ｂと下部の柔らかい部分１ａとが連結形態にて組み合わされたシャワーヘッドの構成図を示している。勿論、上部を硬く、下部を圧縮・湾曲変形可能な柔らかい材料形態にて維持される。しかし、上下とも同じ柔らかな硬度でも差し支えない。
【００３３】
また、図２、図３のブラシ基盤６面にあけられたノズル孔１１ａは中心部１２ａには噴出口１１ａ、１１ｂは構築されず、単にシャワーブラシ１２ａが設置されただけである。勿論、ここにシャワーブラシ１２ａ等が設置されて無くてもよい。
図３に示す如く、噴出口１１ａ、１１ｂは互いに角度移動しても水が漏れない位置を獲得しなければならす、回動位置が互いに影響しない位置を、即ち、噴出制御できる位置から外環に噴出口を設けなければならない形態となっている。
【００３４】
従って、図２に示すように、中心部１２ａは噴出口を穿孔せず、それより外側にはシャワーブラシ１２ｂには設置できるが、シャワーブラシ１２ｂはやめて噴出口１１ａを外環まで構成することもでき、また、ブラシをヘチマ状の、櫛状の、スポンジ状の種々の形態と組合せ構成させることもできる。
【００３５】
図３は上記の噴射口１１ａ、１１ｂとの合致させる作用状態を示し、図３には石鹸液挿入穴９ａ、９ｂが合致している時は噴出口１１ａ、１１ｂの合致はなく、噴出口の閉鎖状態を示す。従って、石鹸水の挿入はこの時期に行う。
石鹸液をシャワーヘッド１内に挿入し、挿入量を確保した後、ブラシ基部６を右に動かし、注入先管１４の先端部がストップ凹穴１３と合致した途端、噴出口１１ｂが１１ａと合致して、水の噴出が開始される。
従って、ブラシ基部６の雄ねじ７ａとシャワーヘッド１ｂの雌ねじ７ｂを締め、下面と上面が締まった状態の時に噴出口１１ａ、１１ｂ、１１ｃが互いに一致するように噴出口を設定することを基準とすることが望ましい。
【００３６】
図１、図２に示す如く、シャワーヘッドの頭部にはヘッド装着意匠１０、即ち、花とか、ペットの顔とか、アンパンマン、スヌーピー、キテイチャンなどを噴出口付近に嵌めこみ装着させることにより、子供を喜ばせると、お風呂嫌い、頭洗いの嫌いな子供でもお風呂に入る今までに無い効果を得ることができ、ホースにもデザインして色をつけたり、シャワー全体も絵を描いたり、デザイン的に構成することにより、今までに無い商品効果を構成させることができる。
【００３７】
【発明の効果】
本発明のシャワーヘッド握り、およびブラシ付凹凸型シャワーヘッドを使用することにより、次の効果がある。
（イ）手にてゴム材料にて構成されたシャワーヘッド外管の握り動作を行うことにより、湯水の噴流の噴射と停止操作がすぐに選択操作でき、握りを緩めると噴流が停止し、いちいち元栓まで手を延ばさなくても、シャワーヘッド握りだけで湯水の噴流を開閉できる今までに無い女性に適した、洗髪湯を流し、シャンプーし髪を洗い、リンスし、洗い、トリートメントする等、段階的に何回でも湯を止めたり、出したりできる便利さを取得でき、高齢者にも使用効果がある。
（ロ）洗浄とシャワーの操作が何回でも湯を止めたり、出したり、間接的に噴出する時間を各人自由に選択でき、今までに無い水道水の節約にも役立つ。
（ハ）ホルダーフックを有効に使用させることにより、使用時に吊り下げて使用することにより、背中が楽に操作して洗浄でき、手からシャワーヘッドをすべり落とすことの無い効果を取得できる。
（ニ）高齢者や身障者の入浴介護にて使用することにより、放水、ストップが無意識に手の掴みによりできることにより、介護者の労力の軽減になる。
（ホ）頭部にフックにひもを通して両手にて背中をこすることも出来、手の届き難い背中の下の方もシャワーヘッドが長く、柔らかく、つかみ易いため、誰でも楽に全身を、特に背中も洗うことが出来、今までにない効果を発揮する。
（ヘ）今までのシャワーヘッドでは無かった、シャワーヘッドを握らずに簡単にヘッド頭を廻し、いわゆる洗剤液をヘッドに注入し、次にシャワーヘッドの握りを操作することにより、誰でも簡単に洗浄液を混合された湯水を噴出させることにより、自分の洗浄時に、種々の効果洗剤液を選択して複合使用することができ、また簡単に洗浄液をチューブにてヘッドに挿入するだけで今までに無い、高齢者に幼児に大きな効果をもたらす器具を提供できる。
（ト）シャワーヘッドの先端部のブラシ部分の形態をそれぞれ使用の用途に応じて種々セットでき、誰でも簡単に選択できる効果を得ることができる。
【図面の簡単な説明】
【図１】本発明の基本的構成を示す側面断面図である。
【図２】本発明のシャワーノズルの正面図である。
【図３】本発明のシャワーノズルの裏側から見た部分外観図である。
【図４】本発明の実施形態を示す部分断面図である。
【図５】本発明の女性向きの最適の使用形態を示す行程図である。
【符号の説明】
１ａ、１ａ′    シャワーヘッド下部
１ｂ            シャワーヘッド上部
２              補強芯パイプ
３ａ            導入口
３ｂ            噴出口
４              ホース取付口
５ａ、５ｂ      ホース握り部
６              ブラシ基部
７ａ、７ｂ      雄ねじ、雌ねじ
８              ホルダーフック
９ａ、９ｂ      石鹸液挿入穴
１０            ヘッド装着意匠
１１ａ、１１ｂ、１１ｃ  噴出口
１２ａ、１２ｂ  シャワーブラシ
１３            ストップ凹穴
１４            注入先管
１５            穴
１６            ねじ
１７            支持棚
１８            リンク軸
１９            ストッパー
２０ａ、２０ａ′ストッパー先端部
２１            プッシュロッド
２２            ロッド軸受け
２３            噴流孔
２４            開閉弁
２５            弁受け
２６            スプリング
２７            連結継ぎ手
２８            接続管
２９            スプリング
３０            ピン
３１            リンク軸受け
３２            ストッパー動作隙間
３３            抉り面
【図１】
2005007133.tif 000003
【図２】
2005007133.tif 000004
【図３】
2005007133.tif 000005
【図４】
2005007133.tif 000006
【図５】
2005007133.tif 000007